(57)【特許請求の範囲】
【請求項１】
遊技盤が着脱自在に装着された前面枠の前面にガラス扉枠を開閉自在に設けたパチンコ機において、
前記ガラス扉枠は、中央に遊技盤の遊技領域が視認可能な開口が形成されると共に該開口の周りを板状部として額縁状に形成された基体枠部と、前記基体枠部の前面を覆う大きさに形成されると共に前記基体枠部の開口に合致する窓開口が開設された合成樹脂製の飾り部材とからなり、
前記基体枠部の適宜箇所には係止孔が開設されている一方で、前記飾り部材の前記基体枠部の係止孔に対応する位置には係止部材が回動自在に設けられ、前記飾り部材の係止部材を前記基体枠部の係止孔に挿入し該係止部材を規定位置まで回動すると該基体枠部に該飾り部材が装着されるようになっており、
前記前面枠には、前記飾り部材の係止部材に対応する位置に該係止部材が該規定位置に回動しているときのみ該係止部材が挿入可能な凹窪が形成されていることを特徴とするパチンコ機。
【請求項２】
前記基体枠部の周縁と前記飾り部材の周縁の各々に互いに対向するようにリブ壁が立設されていることを特徴とする請求項１記載のパチンコ機。
【発明の詳細な説明】
【０００１】
【発明の属する技術分野】
本発明は、前面枠の前面にガラス扉枠を開閉自在に設けたパチンコ機に関するものである。
【０００２】
【従来の技術】
最近のガラス扉枠は、表面を合成樹脂製の飾り部材で被覆し内部にランプ等を内装してデザイン的に優れたものとなっており、しかもパチンコ機に対して着脱自在に設けられている。前記飾り部材は多くのビスにより基体部に固着していた。
【０００３】
また、パチンコホールにおいて遊技者の悪戯により上記ガラス扉枠にたばこの火を押し付け、前記飾り部材を焦がして損傷させたりすることがある。
【０００４】
【発明が解決しようとする課題】
しかしながら、従来のガラス扉枠は悪戯により損傷した飾り部材を交換しようとしたり、内装したランプが球切れして交換しようとしても飾り部材を外さなければならず、該飾り部材を外すために多くのビスを外さなければ取外しができず、面倒であり見栄えの損ねたままにしがちであった。
【０００５】
また、近年遊技盤のみの交換による機種変更が増大しているが、ガラス扉枠および前面枠等がそのまま使用されるため、見た目に代わり映えがせず折角機種変更しても遊技者に興趣を持たせ難いという問題があった。このことはガラス扉枠を交換することにより簡単にイメージを変えることができるように思われるが、ガラス扉枠そのもの自体の交換はできるものの、どうしてもコスト的にも割高となり、しかも取外して交換したガラス扉枠は本来使用できる基体部および保持枠部もそのまま廃棄処分されるため無駄が多かった。
【０００６】
そこで本発明は、上記課題を解決し遊技者に視認される飾り部材を着脱自在として、該飾り部材の交換が簡単にできるガラス扉枠を提供することを目的としている。
【０００７】
【課題を解決するための手段】
上記目的を達成するために請求項１に係るパチンコ機は、遊技盤が着脱自在に装着された前面枠の前面にガラス扉枠を開閉自在に設けたパチンコ機において、前記ガラス扉枠は、中央に遊技盤の遊技領域が視認可能な開口が形成されると共に該開口の周りを板状部として額縁状に形成された基体枠部と、前記基体枠部の前面を覆う大きさに形成されると共に前記基体枠部の開口に略合致する窓開口が開設された合成樹脂製の飾り部材とからなり、前記基体枠部の適宜箇所には係止孔が開設されている一方で、前記飾り部材の前記基体枠部の係止孔に対応する位置には係止部材が回動自在に設けられ、前記飾り部材の係止部材を前記基体枠部の係止孔に挿入し該係止部材を規定位置まで回動すると該基体枠部に該飾り部材が装着されるようになっており、前記前面枠には、前記飾り部材の係止部材に対応する位置に該係止部材が所定位置に回動しているときのみ該係止部材が挿入可能な凹窪が形成されていることを特徴としている。
【０００８】
また、請求項２に係る発明は、前記基体枠部の周縁と前記飾り部材の周縁の各々に互いに対向するようにリブ壁が立設されていることを特徴としている。
【０００９】
【発明の実施の形態】
次に、図面を参照して、本発明の一実施の形態について説明する。図１はパチンコ機の正面図、図２はガラス扉枠を開いて示すパチンコ機の正面図である。図において、パチンコ機１は、縦長方形状に枠組みされる外枠２の前面に前面枠３が上下のヒンジ金具４，４により開閉自在に装着されている。該前面枠３には開口窓５が開設され、該開口窓５に臨んで遊技盤６が取付枠１０を介して着脱自在に装着されている。また、前面枠３の前面上方部分には遊技盤６が視認できるようにガラス扉枠７が上下ヒンジ具８，８によって開閉自在に軸着されており、その下方部分に打球を供給する上部球受皿９が開閉可能に設けられている。また、上部球受皿９の下方には該上部球受皿９の余剰球が貯留される下部球受皿１１が設けられ、その側方に打球発射用の操作ハンドル１２が配設されている。１３は、前面枠３およびガラス扉枠７の施錠装置を施錠および解錠するシリンダー錠で、前面枠３の開口内側にシリンダー錠１３の操作により可動してガラス扉枠７が開放する施錠機構１４が設けられている。なお、図上取付枠１０を前面枠３と一体に形成しているが別体に形成してもよい。
【００１０】
前記遊技盤６の表面には、図２に示すように誘導レール１８で囲まれる遊技領域６ａ内に左右通過ゲート１７および一般入賞口１９や大入賞口２０、チューリップ式の始動入賞口２１、可変表示装置２９等の各種役物が配設され、さらに風車２２や障害釘２３およびサイドランプ２４等が設けられ、遊技領域６ａの最下端にアウト球口２５が形成されている。前記大入賞口２０は、基板２６の開口２６ａを開閉する扉板２７をソレノイド等により開閉する公知的な入賞装置である。前記可変表示装置２９は図３に示すように枠部材３０の中央に図柄文字等を表示する液晶の表示部２９ａを有し、該表示部２９ａは始動入賞口２１に遊技球が入賞したのを条件に表示を変動し、所定時間後に停止した表示により通常遊技または前記大入賞口２０の扉板２７を開閉する特別遊技とするものである。３１は普通図柄表示部であり、前記左右通過ゲート１７を遊技球が通過することにより普通図柄が変動し「７」等の特定図柄により前記始動入賞口２１を可動して入賞しやすくする。３２は前記始動入賞口２１に入賞した保留球をＬＥＤの点灯により表示する表示部である。また、遊技領域６ａ外上方にはコーナーレンズ２８が設けられている。
【００１１】
前記ガラス扉枠７は、前面枠３の上半部分を全幅にわたって覆う大きさに形成され、額縁状に形成される基体枠部７ａと、該基体枠部７ａの裏面に設けられガラス板等の透明板１５を保持する保持枠部材７ｂと、前記基体枠部７ａの表面側に装着される合成樹脂製の飾り部材７ｃとで構成されている。
【００１２】
前記基体枠部７ａは合成樹脂により成形され、図３に示すように中央部に遊技盤６の遊技領域６ａが視認可能な該遊技領域６ａを包含する大きさの方形状の開口３３が形成され、周縁にリブ壁を立設した枠状に形成している。そして、基体枠部７ａの一側に前記ヒンジ具８ａ，８ｂの上下軸支部３４，３５が設けられ、基体枠部７ａの板状部には適宜個所に台形状の透孔３６が複数開設されると共に前記開口３３の上下縁および開放側縁の適宜個所に係止手段としての一対の係止孔３７を開設している。また、該板状部の裏面には前記保持枠部材７ｂが取着されると共に金属製の補強板３８が適宜個所に装着される。一方、板状部の前面に図４に示すように光源としてのランプ３９が設けられる。前記上軸支部３４は、付勢部材としてのスプリング４０により進退する軸ピン４１が設けられており、他方下軸支部３５は軸孔４２を有している。なお、基体枠部７ａは金属製としてもよく、金属製とすることで補強板３８を設ける必要がなくなる。また、前記光源をランプ３９としたが、ＬＥＤ，蛍光管，ネオン管としてもよいのはいうまでもない。
【００１３】
前記保持枠部材７ｂは合成樹脂により上辺部を除く左右側辺部及び下側辺部を囲うようにコ字形に形成され、前記基体枠部７ａの裏面にビスにより一体的に設けられる。また、該保持枠部材７ｂの内周に遊技盤６を透視し得る内、外２枚のガラス板等の透明板１５，１５が所定間隔を離して上方より挿入嵌合される溝部４４が形成されている。４５，４５はガラス扉枠７の開放側を前面枠３の施錠機構１４に係止する係止部である。なお、保持枠部材７ｂは前記基体枠部７ａと一体で形成しても金属により成形してもよい。
【００１４】
前記飾り部材７ｃは、任意に着色された合成樹脂により前記基体枠部７ａの前面を覆う大きさに形成されると共に、前記基体枠部７ａの開口３３にほぼ合致する窓開口４６が開設され、周縁にリブ壁を立設した枠状に形成されている。そして、前記ランプ３９に対応位置して透光性樹脂により形成されたレンズ部材４７が設けられており、該レンズ部材４７のフランジ部をビス着している。また、飾り部材７ｃ裏面には前記係止孔３７に相対位置して係止手段としての一対の係止部材４８を複数設けている。該係止部材４８は、飾り部材７ｃの取付ボスに止めネジにより回動自在に設けられる。このとき係止部材４８が所定位置（図上水平状態）に仮止まりするようにするのが好ましい。また、一側上下には前記上下軸支部３４，３５の軸ピン４１および軸孔４２に合致する軸挿通孔４９ａ，４９ｂを開設している。
【００１５】
前記飾り部材７ｃの装着は、まず下部軸挿通孔４９ｂを基体枠部７ａの軸孔４２に合致させ軸ピン４１をスプリング４０の付勢に抗して下動して上部軸挿通孔４９ａを軸ピン４１に合致させて基体枠部７ａに回動自在に仮取着する。そして、前記係止部材４８をそれぞれ係止孔３７に臨ませ、該係止部材４８を約９０°の範囲で回動することにより係止部材４８が基体枠部７ａ裏面に係止して、飾り部材７ｃの周縁リブが基体枠部７ａの周縁リブに嵌合するように密着して固着され、ドライバー等の治具を使用することなくガラス扉枠７が組付けられる。また、前記ランプ３９の配線Ｈは前記透孔３６から裏面側に配設されて途中配線処理具５０で処理しながら保持枠部材７ｂの外側部に沿って配線され遊技盤６裏面側に導出して所定基板５１に接続される。このように配線Ｈをガラス扉枠７の軸支側とすることでガラス扉枠７の開閉も支障なく行うことができる。
【００１６】
このように組付けられたガラス扉枠７は、まず前面枠３に設けた下部ヒンジ具８ｂの短軸５３に下軸支部３５の軸挿通孔４９ｂおよび軸孔４２を差込み、次に上軸支部３４の軸ピン４１をスプリング４０の付勢に抗して押し下げて前面枠３側の上ヒンジ具８ａの軸受孔５４と一致させた後、スプリング４０の付勢により軸ピン４１を軸受孔５４に挿通し連繋させる。これによりガラス扉枠７が前面枠３に軸ピン４１および短軸５３により回動自在に装着され、開放側は係止部４５を施錠機構１４に係合して施錠される。
【００１７】
また、ガラス扉枠７を閉止した状態で前記係止部材４８に対応位置する前面枠３に係止部材４８が正規な位置にあるかを確認できる確認手段を設けるのが好ましく、本実施の形態において確認手段は前面枠３に凹窪５５して形成されている。そして、万一前記係止部材４８が規定位置に回動していない場合には係止部材４８が凹窪５５に合致せずガラス扉枠７が閉止できず係止部材４８の不具合が確認でき、係止部材４８の僅かなずれは該凹窪５５によって強制的に規制し係止部材４８を規定位置に回動されるようにするのがよい。なお、該確認手段は凸部により形成するようにしてもよい。
【００１８】
次に飾り部材７ｃに悪戯され損傷したり、遊技盤６の交換による機種変更に伴い飾り部材７ｃを交換したりする場合について説明する。前述したガラス扉枠７の装着と逆の順序で先ずシリンダー錠１３の解錠操作によりガラス扉枠７の施錠を解除して開放し、上下ヒンジ具８ａ，８ｂを解除してガラス扉枠７を前面枠３から取外す。次に、前記係止部材４８をそれぞれ係止孔３７に合致する係止解除位置に回動して飾り部材７ｃと基体枠部７ａとの係合を解除し、図５に示すように上軸支部３４のスプリング４０の付勢に抗して軸ピン４１を下動し軸挿通孔４９ａから抜脱することで図５鎖線に示すように飾り部材７ｃを基体枠部７ａから取外すことができる。そして新しく交換する飾り部材７ｃを前述した要領で古い飾り部材７ｃを取外した前記基体枠部７ａに装着すればよい。このとき新しい飾り部材７ｃは係止部材４８および軸挿通孔４９ａ，４９ｂさえ同じ位置に設けてあれば前記基体枠部７ａに装着することが可能であり、飾り部材７ｃの外観形状および窓開口４６の形状はどのように変化しても装着することができる。例えば上記実施の形態において、窓開口４６を方形状としたが図８（ａ）に示す蒲鉾型としても同図（ｂ）に示す遊技領域に沿った円形とすることも可能である。また、前記透孔２６を係止孔３７と同一形状とすることで係止部材４８の設置場所を変更することも可能とすることができる。
【００１９】
このように、飾り部材７ｃのみを簡単に取外し交換することができるので、基体枠部７ａをそのまま使用して損傷した飾り部材７ｃを簡単にとりかえることができる。また、遊技盤６のみの交換による機種変更の際に、飾り部材７ｃのみを変更することにより、パチンコ機全体のイメージを変えることができ、従来のような無駄をなくし安いコストで全く新しいパチンコ機と錯覚させ遊技者の興趣を高まらせることができる。このとき飾り部材７ｃを遊技盤６のデザインと関連性を持たせるのが好ましい。
【００２０】
なお、この実施の形態においてはガラス扉枠７の施錠を解除して開放した状態で、前記係止部材４８を回動して飾り部材７ｃの係止を解除すると、該飾り部材７ｃが前記ヒンジ具８ａ，８ｂにより基体枠部７ａに対して単独で開放させることができるので、基体枠部７ａに設けられたランプ３９等の光源が露呈し、万一ランプ３９が切れた場合にいちいちガラス扉枠７を前面枠３から外すことなく簡単にランプ３９を交換することができる効果を奏する。
【００２１】
また、前記透孔３６を利用して前記ランプ３９等の光源を装着するようにしてもよい。例えば図９および図１０に示すように光源は、周囲に溝部５２を有した台形状の基部５３に設けられており、前記溝部５２を透孔３６周縁に臨ませ図１０矢印に示す先細方向に移動させることにより基部５３が透孔３６周縁に圧着しランプ３９を固着することができる。また、１つの透孔３６に１個の光源に限定されることなく、同図に示すように同方向に先細形状の複数の透孔３６に跨る基部５３ａによりランプ３９を装着するようにしてもよく、この装着方法により種々の光源を簡単に装着することができ、透孔３６が適宜位置に複数設けられていることからレンズ位置が変更しても任意の透孔３６を利用することにより対応することができる。なお、前記基部５３，５３ａは弾性体により形成するのが好ましく、より確実に圧着固定することができる。
【００２２】
前記実施の形態において、レンズ部材４７を別体に設けて飾り部材７ｃに取着するようにしたが、飾り部材７ｃ全体を透光性を有する合成樹脂により成形して、前記光源に対応する部位を除いて図柄シートを熱転写またはインモールド成形して、前記光源に対応する部位のみで発光を視認することができるようにしてもよい。このとき図柄シートを前記遊技盤６のデザインと関連した図柄として遊技盤６とガラス扉枠７と一体感をもたせるのが好ましく、遊技盤６の交換による機種変更の際により効果的となる。
【００２３】
また、図１１に示すように飾り部材７ｃに遊技領域６ａ外に位置するコーナーレンズ２８ａを設けるようにしてもよく、基体枠部７ａをコーナーレンズ２８の形状に沿ったものとして透孔３６に位置してランプ３９等の光源を設けるようにしてもよい。なお、光源は該コーナーレンズ２８ａに対応して飾り部材７ｃに直接設けるようにしてもよい。このように飾り部材７ｃにコーナーレンズ２８ａを設けるにことにより光源の光が前面側のみでなく後面側にも照射することができ、コーナーレンズ２８を遊技盤６に設けた際にはガイドレール１８に邪魔されて照射できなかった遊技盤６の遊技領域６ａ面を照射することができる。また、同様に飾り部材７ｃにサイドランプ２４を設けるようにしてもよく、従来のようにコーナーレンズ２８，サイドランプ２４を取付ける手間が省け、飾り部材７ｃを交換することによりコーナーレンズ２８，サイドランプ２４も交換することができる。
【００２４】
また、本発明によれば普通機のガラス扉枠７をＣＲ機としてのガラス扉枠７に変更することも可能である。例えば図１２に示すように基体枠部７ａの下方に位置して球貸しおよびカード返却操作部５５，５６およびカード残高等の表示部５７を取着し、飾り部材７ｃに球貸しおよびカード返却操作部５５，５６が臨む小開口５８，５９を開設すると共に、カード残高等の表示部５７を前面から視認できるように加工すればよい。このように基体枠部７ａをそのまま使用して操作部５５，５６および表示部５７を設け、ＣＲ機用の飾り部材７ｃと交換するだけで普通機として使用していたガラス扉枠７をＣＲ機用として簡単に変更することができる。なお、球貸しおよびカード返却操作部５５，５６およびカード残高等の表示部５７の取付けはガラス扉枠７の下方に限定されるものではなく、側方および上方であってもよい。また、ＣＲ機用の操作部５５，５６をガラス扉枠７に設けることで位置的にも遊技者の視野内にあり遊技中においても球貸し時に遊技盤６面から目を移動することなく操作でき、遊技を中断したり遊技内容を見逃したりすることなく遊技を満喫することができる。
【００２５】
次に飾り部材７ｃの取付手段の他の実施の形態を示す。この実施の形態において前記係止部材４８に替えて別途形成した係止具６０を用いている。なお、前記実施の形態と同じ構成要素には同一符号を付して説明する。図１３および図１４に示すように飾り部材７ｃの裏面には係止具６０が挿入される挿入開口６１を有するコ字形の取付固定部６２を設け、一方基体枠部７ａには前記取付固定部６２が嵌挿する挿通孔６３が設けられる。前記係止具６０は、外方に付勢力を付与するように全体形状を略凵型に形成し、両側の弾性片６４，６４には外側に段部を介して係止部６５が形成される。そして、飾り部材７ｃの装着は、前記取付固定部６２を前記挿通孔６３から基体枠部７ａの後面に臨ませ、前記係止具６０を挿入開口６１から差込み係止部６５を取付固定部６２に係止することにより取付固定部６２が挿入開口６１から抜脱できず前記飾り部材７ｃを基体枠部７ａに取付けることができる。また飾り部材７ｃを取外し交換する際には、まず係止具６０の弾性片６４，６４を摘んで付勢に抗して係止部６５の係合を解除して取付固定部６２から係止具６０を外し、挿通孔６３から取付固定部６１を抜脱して飾り部材７ｃを基体枠部７ａから取外すことができる。この実施の形態においては飾り部材７ｃの交換後も前記係止具６０を再使用することができるため、さらにコストの削減を図ることができる。また、前記透孔３６を挿通孔６３として利用するようにしてもよい。これにより透孔３６が適宜個所に複数設けられることから交換する飾り部材７ｃの形状の変更に伴って取付固定部６２の位置が変わっても、取付固定部６２の位置に合致する任意の透孔３６を挿通孔６３として使用することができる。
【００２６】
さらに、飾り部材７ｃの他の取着手段として、飾り部材７ｃに傾斜部を有する鉤片６８を設け、一方基体枠部７ａに前記鉤片６８に合致する通孔６９を開設すると共に該通孔６９を閉塞し前記鉤片６８に係止する係止部材を付勢部材により鉤片６８を係止する方向に付勢して設けるようにしてもよい。図１５に示すように係止部材として前記補強板３８を利用して説明する。補強板３８には通孔６９に合致する複数の係止孔７０が開設され、常にはガイド片７１にガイドされてスプリング７２の付勢により通孔６９の半分程度を閉塞した状態にある。７３は折り曲げ形成した解除操作片である。まず、鉤片６８を通孔６９に臨ませて押し込むことで鉤片６８の傾斜部が係止孔７０端部を押して補強板３８が前記スプリング７２の付勢に抗してガイド片７１に沿って可動する。そして、飾り部材７ｃが完全に基体枠部７ａに装着された状態で補強板３８が鉤片６８の押圧から解放されてスプリング７２の付勢により復動し、鉤片６８が係止孔７０端縁に係止する。次に飾り部材７ｃの取外しは、解除操作片７３を操作してスプリング７２の付勢に抗して補強板３８を可動して鉤片６８と係止孔７０の係合を解除すれば簡単に通孔６９から鉤片６８が抜脱でき飾り部材７ｃを取外しできる。このように係止部材として前記補強板３８を利用することで、鉤片６８を同一方向に設けて補強板３８（係止部材）によって同時に複数箇所の係止および解除することができる。また、前記通孔６９は透孔３６を利用するようにしてもよい。
【００２７】
また、上記実施の形態における飾り部材７ｃの取着手段に限定されることなく、弾性係止片による取着，鉤片または引掛突部による引掛け，差込スライド等による取着が可能である。なお、引掛け，差込み方法においては、前記透孔３６を利用して飾り部材７ｃに設けられる引掛け片，差込片等を引掛け，差込んで取着するのが好ましい。
【００２８】
また、飾り部材７ｃを基体枠部７ａに回動自在に設けることなく、例えば上記した係止部材４８，係止具および鉤片による係止手段のみを用いて取着するようにすればガラス扉枠７を前面枠３から取外すことなく開放した状態で飾り部材７ｃを交換することができ、飾り部材７ｃ交換の作業性が向上する。
【００２９】
また、飾り部材７ｃを枠状に一体に形成したが分割形成して基体枠部７ａに個々に組付けるようにしてもよい。飾り部材７ｃを分割形成することにより金型が小さくなりコストが低減できると共に、飾り部材７ｃの部分交換も可能となり、特に悪戯による飾り部材７ｃの損傷の際の交換に有効的である。
【００３０】
なお、ガラス扉枠７を前面枠３のほぼ前面を覆うようにしたが、実施の形態に限定されるものではなく、ガラス扉枠７の周縁に前面枠３が視認できる大きさであってもよい。また、ガラス扉枠７の基体枠部７ａに対して透明板１５が保持される保持枠部材７ｂが開閉自在に設けられるもの、また透明板１５の装着の容易性等を考慮して、予め２枚の透明板１５，１５を縁枠部材等によって額縁状に囲い、この２層透明板体を保持枠部材７ｂの溝部４４に挿入するものであってもよい。
【００３１】
また、最近図１６に示すようにガラス扉枠７と上部球受皿９とが一体となって開放されるパチンコ機があるが、本発明は該パチンコ機にも適用できガラス扉枠７の飾り部材７ｃと上部球受皿９の表面を覆うカバー体を交換するようにすればよく、パチンコ機のイメージをより一層変えることができる。なお、図示したパチンコ機はガイドレール１８が前面枠３周縁に設けられ、ほぼ遊技盤６全体が遊技領域６ａとしている。当然のことながら下部球受皿１１までも一体のパチンコ機であってもよい。また、実施の形態としてパチンコ球を遊技盤６の右下方から発射するパチンコ機としたが、遊技盤６の上方および左下方から発射するパチンコ機でもよく、さらにガイドレール１８が前面枠３に設けられるパチンコ機であってもよい。
【００３２】
【発明の効果】
以上、説明したところから明らかなように、本発明においては、遊技盤の遊技領域が視認可能な開口が形成される基体枠部と、該基体枠部の裏面に設けられ遊技盤を透視し得る透明板が装着される保持枠部材と、前記基体枠部の表面側に装着される合成樹脂製の飾り部材とを備えたガラス扉枠の飾り部材を基体枠部に対して係止手段により着脱自在に設けたことにより、飾り部材の交換が容易となり、特に遊技盤のみの交換による機種変更に際して従来変わり映えのしなかったパチンコ機を飾り部材を交換することにより遊技盤に関連したデザインとすることが可能となり遊技者に興趣を持たせるパチンコ機にすることができる。また、ガラス扉枠の基体枠部がそのまま使用でき、優れた経済効果を発揮する。
【図面の簡単な説明】
【図１】パチンコ機の正面図である。
【図２】ガラス扉枠を開放して示すパチンコ機の正面図である。
【図３】ガラス扉枠の分解斜視図である。
【図４】ガラス扉枠の要部分解斜視図である。
【図５】ガラス扉枠の要部側断面図である。
【図６】パチンコ機の要部側断面図である。
【図７】パチンコ機の要部平断面図である。
【図８】（ａ），（ｂ）ガラス扉枠の飾り部材の他の実施の形態を示す斜視図である。
【図９】光源の取着を示す要部斜視図である。
【図１０】図９の取着を説明する要部正面図である。
【図１１】コーナーレンズを飾り部材に設けた実施の形態の要部側断面図である。
【図１２】ガラス扉枠をＣＲ機とした実施の形態の要部分解斜視図である。
【図１３】取付手段の他の実施の形態を示す要部分解斜視図である。
【図１４】図１３の正面図である。
【図１５】取付手段のさらに他の実施の形態を示す要部分解斜視図である。
【図１６】他の実施の形態のガラス扉枠を開放して示すパチンコ機の正面図である。
【符号の説明】
１            パチンコ機
６            遊技盤
６ａ          遊技領域
７            ガラス扉枠
７ａ          基体枠部
７ｂ          保持枠部材
７ｃ          飾り部材
１５，１５    透明板
１６          トップランプ（照明手段）
２４          サイドランプ（照明手段）
２８          コーナーレンズ（照明手段）
３３          開口
３４，３５    軸支部
３６          透孔
３７          係止孔（係止手段）
３８          補強板（係止部材）
３９          ランプ（光源）
４７          レンズ部材（透光性樹脂）
４８          係止部材（係止手段）
６０          係止具（係止手段）
６２          取付固定部（係止手段）
６８          鉤片（係止手段）
７０          係止孔（係止手段）
【図１】
0004235378.tif 000002
【図２】
0004235378.tif 000003
【図３】
0004235378.tif 000004
【図４】
0004235378.tif 000005
【図５】
0004235378.tif 000006
【図６】
0004235378.tif 000007
【図７】
0004235378.tif 000008
【図８】
0004235378.tif 000009
【図９】
0004235378.tif 000010
【図１０】
0004235378.tif 000011
【図１１】
0004235378.tif 000012
【図１２】
0004235378.tif 000013
【図１３】
0004235378.tif 000014
【図１４】
0004235378.tif 000015
【図１５】
0004235378.tif 000016
【図１６】
0004235378.tif 000017